(57)【要約】【課題】文字多重放送におけるユーザーによる設定に係る操作を軽減する。【解決手段】文字データ検出部は放送波で受信した受信データから文字データを検出し、サービス判別部は文字データのサービス種別を判別し、表示設定部は一のサービス種別の設定情報における少なくとも一部の要素を他のサービス種別の設定情報における当該要素と同一に定め、表示制御部は判別されたサービス種別の設定情報が示す表示態様で前記文字データが示す文字を表示させる。【選択図】図８
2016116032.tif 000002
【特許請求の範囲】
【請求項１】
放送波で受信した受信データから文字データを検出する文字データ検出部と、
前記文字データのサービス種別を判別するサービス判別部と、
一のサービス種別の設定情報における少なくとも一部の要素を他のサービス種別の設定情報における前記要素と同一に定める表示設定部と、
前記サービス判別部が判別したサービス種別の設定情報が示す表示態様で前記文字データが示す文字を表示させる表示制御部と、
を備える受信装置。
【請求項２】
前記表示設定部は、同時に複数のサービス種別の文字データが示す文字を表示させるとき、相互に表示領域が重複しないように前記文字の位置を定める請求項１に記載の受信装置。
【請求項３】
前記表示設定部は、同時に複数のサービス種別の文字データが示す文字を表示させるとき、所定のサービス種別の文字データが示す文字の検知性を、他のサービス種別の文字データが示す文字の検知性よりも高くする請求項１または請求項２に記載の受信装置。
【請求項４】
前記受信データから番組を構成する映像データを分離する分離部を備え、
前記表示設定部は、同時に複数のサービス種別の文字データが示す文字を表示させるとき、所定のサービス種別の文字データが示す文字の位置を第１の表示領域内に定め、他のサービス種別の文字データが示す文字の位置を第２の表示領域内に定め、前記第２の表示領域は、番組の映像を表示する表示領域である請求項２または請求項３に記載の受信装置。
【請求項５】
前記表示設定部は、同時に複数の言語の文字データが示す文字を表示させるとき、相互に表示領域が重複しないように前記文字の位置を定める請求項１から請求項４のいずれか一項に記載の受信装置。
【請求項６】
前記文字データが示す文字の表示態様を示す受信設定情報を検出する設定情報検出部を備え、
前記表示制御部は、前記受信データから前記受信設定情報の使用を指示する指示情報を検出したとき、前記受信設定情報が示す表示態様で前記文字データが示す文字を表示させる請求項１から請求項５のいずれか一項に記載の受信装置。
【請求項７】
文字データを放送波で送信する送信装置と受信装置とを備える放送システムであって、
前記受信装置は、
放送波で受信した受信データから文字データを検出する文字データ検出部と、
前記文字データのサービス種別を判別するサービス判別部と、
一のサービス種別の設定情報における少なくとも一部の要素を他のサービス種別の設定情報における前記要素と同一に定める表示設定部と、
前記サービス判別部が判別したサービス種別の設定情報が示す表示態様で前記文字データが示す文字を表示させる表示制御部と、
を備える放送システム。
【請求項８】
受信装置の受信方法であって、
放送波で受信した受信データから文字データを検出する文字データ検出過程と、
前記文字データのサービス種別を判別するサービス判別過程と、
一のサービス種別の設定情報における少なくとも一部の要素を他のサービス種別の設定情報における前記要素と同一に定める表示設定過程と、
前記サービス判別過程で判別されたサービス種別の設定情報が示す表示態様で前記文字データが示す文字を表示させる表示制御過程と、
を有する受信方法。
【請求項９】
受信装置のコンピュータに、
放送波で受信した受信データから文字データを検出する文字データ検出手順、
前記文字データのサービス種別を判別するサービス判別手順、
一のサービス種別の設定情報における少なくとも一部の要素を他のサービス種別の設定情報における前記要素と同一に定める表示設定手順、
前記サービス判別手順で判別されたサービス種別の設定情報が示す表示態様で前記文字データが示す文字を表示させる表示制御手順、
を実行させるためのプログラム。
【発明の詳細な説明】
【技術分野】
【０００１】
本発明は、受信装置、放送システム、受信方法及びプログラムに関する。
【背景技術】
【０００２】
従来から、テレビジョン放送において提供されている文字多重放送は、文字データや当該文字データに付随するデータを多重化して提供されるサービスである。文字多重放送は、文字放送とも呼ばれる。文字多重放送には、字幕放送と文字スーパーがある。字幕放送は、主たる番組（映像、音声）と同期して提供されるサービスである。字幕放送には、例えば、番組中の発話内容を示す文字を表示して難聴者を支援することを目的とするサービスがある。字幕放送は語学番組における英語字幕、日本語字幕の提供の際にも用いられる。文字スーパーは、番組とは同期せずに独立に提供されるサービスである。文字スーパーは、非同期字幕とも呼ばれ、例えば、番組とは無関係に流れる地震速報、気象速報、ニュース速報、その他の速報に用いられることがある。
【０００３】
特許文献１には、字幕表示／非表示の設定が「字幕表示」と視聴者により設定されている場合であっても、視聴者が予め選択しておいた所望の番組属性（番組のジャンル）を有する番組のみ字幕を非表示とすることができる字幕放送受信装置について記載されている。また、当該字幕放送受信装置は、字幕表示／非表示の設定が「字幕非表示」と視聴者により設定されている場合であっても、所望の番組属性を有する番組のみ字幕を表示する。
また、非特許文献１には、８Ｋ超高解像度テレビジョン放送（ＵＨＤＴＶ：Ｕｌｔｒａ  Ｈｉｇｈ  Ｄｅｆｉｎｉｔｉｏｎ  Ｔｅｌｅｖｉｓｉｏｎ）において、字幕放送や文字スーパーにおいて表示タイミングやレイアウト等を指定できるＴＴＭＬ（Ｔｉｍｅｄ  Ｔｅｘｔ  Ｍｏｄｅｌｉｎｇ  Ｌａｎｇｕａｇｅ）符号化方式について記載されている。
【先行技術文献】
【特許文献】
【０００４】
【特許文献１】特開２００７−１３５６１号公報
【非特許文献】
【０００５】
【非特許文献１】“８Ｋスーパーハイビジョンに対応したハイブリッドキャスト”，［ｏｎｌｉｎｅ］，日本放送協会，［平成２６年１１月２５日検索］，インターネット＜ＵＲＬ：ｈｔｔｐｓ：／／ｗｗｗ．ｎｈｋ．ｏｒ．ｊｐ／ｓｔｒｌ／ｏｐｅｎ２０１４／ｔｅｎｊｉ／ｐｄｆ／ｔｅｎｊｉ０１．ｐｄｆ＞
【発明の概要】
【発明が解決しようとする課題】
【０００６】
字幕放送と文字スーパーは、互いに別個のサービスであり、ユーザーがそれぞれの設定を行うことにより、その機能が発揮される。字幕放送や文字スーパーの表示態様の設定は一般に複数の設定項目が含まれているため、ユーザーにとって設定に係る操作が煩雑であるという課題がある。また、字幕放送と文字スーパーは、いずれも送信された文字を表示するサービスである点が共通であるため、両サービスの差異がユーザーに十分に理解されず、サービス毎にユーザー所望の設定を行うための動機に欠ける。
【課題を解決するための手段】
【０００７】
本発明は、上記の課題を解決するためになされたものであり、本発明の一態様は、放送波で受信した受信データから文字データを検出する文字データ検出部と、前記文字データのサービス種別を判別するサービス判別部と、一のサービス種別の設定情報における少なくとも一部の要素を他のサービス種別の設定情報における前記要素と同一に定める表示設定部と、前記サービス判別部が判別したサービス種別の設定情報が示す表示態様で前記文字データが示す文字を表示させる表示制御部と、を備える受信装置である。
【発明の効果】
【０００８】
本発明によれば、文字多重放送におけるユーザーによる設定に係る操作を軽減することができる。
【図面の簡単な説明】
【０００９】
【図１】第１の実施形態に係る放送システムの構成を示すブロック図である。
【図２】第１の実施形態に係る送信装置の構成を示すブロック図である。
【図３】ＭＰＴの例を示す図である。
【図４】ＭＨ−データ符号化方式記述子の例を示す図である。
【図５】付加識別情報の例を示す図である。
【図６】ＭＦＵの例を示す図である。
【図７】第１実施形態に係る受信装置の構成を示すブロック図である。
【図８】第１実施形態に係る制御部の構成を示すブロック図である。
【図９】文字スーパーの設定を説明するための図である。
【図１０】字幕放送の設定を説明するための図である。
【図１１】第１の実施形態による字幕放送と文字スーパーの表示例を示す図である。
【図１２】第１の実施形態に係る表示設定処理を示すフローチャートである。
【図１３】第１の実施形態に係る受信処理を示すフローチャートである。
【図１４】第２の実施形態による文字情報の表示例を示す図である。
【図１５】第２の実施形態に係る受信処理を示すフローチャートである。
【図１６】第３の実施形態による文字情報の表示例を示す図である。
【図１７】第３の実施形態に係る受信処理を示すフローチャートである。
【図１８】第４の実施形態による文字情報の表示例を示す図である。
【図１９】第４の実施形態に係る受信処理を示すフローチャートである。
【図２０】第５の実施形態に係る受信処理を示すフローチャートである。
【発明を実施するための形態】
【００１０】
（第１の実施形態）
本発明の第１の実施形態について、図面を参照しながら説明する。
図１は、本実施形態に係る放送システム１の構成を示すブロック図である。放送システム１は、送信装置１１と、受信装置３１とを含んで構成される。送信装置１１は、例えば、放送事業者が有する放送設備を構成する。受信装置３１は、送信装置１１から放送される放送番組を受信し、受信した放送番組の映像を表示し、当該放送番組の音声を再生する。放送番組は、文字データと多重化される場合がある。その場合には、受信装置３１は、多重化された文字データが示す文字を映像に重ね合わせて表示する。受信装置３１は、例えば、各家庭や事業所等に設置される。
【００１１】
送信装置１１は、放送番組の内容を表す番組データと、文字データとを多重化した多重化データを、放送伝送路１２を介して受信装置３１に送信する。番組データは、例えば、音声データと、映像データとを含む。文字データは、字幕放送又は文字スーパーの内容を表す文字情報を含んだデータである。
【００１２】
放送伝送路１２は、送信装置１１が送信する各種のデータを同時に不特定多数の受信装置３１に一方向的に伝送する伝送路である。放送伝送路１２は、例えば、放送衛星１３で中継される所定の周波数帯域の電波（放送波）である。放送伝送路１２の一部には、通信回線、例えば、送信装置１１から電波を送信するための送信設備までの通信回線が含まれてもよい。
【００１３】
受信装置３１は、送信装置１１から放送伝送路１２を介して受信した番組データに基づく番組の映像を表示し、当該番組の音声を再生する。受信装置３１は、送信装置１１から受信した各種のデータから文字データを検出し、文字データのサービス種別を判別し、判別したサービス種別に対応した設定情報が示す表示態様で検出した文字データが示す文字を表示する。サービス種別は、字幕放送であるか文字スーパーであるかの種別である。また、受信装置３１は、操作入力に応じて定めた一の放送種別の設定情報における所定の要素を他の放送種別の設定における当該所定の要素と同一に定める。受信装置３１は、例えば、テレビジョン受信装置、映像記録装置、スマートフォン等、テレビジョン放送を受信することができる機能を有する電子機器である。
【００１４】
（送信装置の構成）
次に、本実施形態に係る送信装置１１の構成について説明する。
図２は、本実施形態に係る送信装置１１の構成を示すブロック図である。送信装置１１は、番組データ取得部１１１、文字データ取得部１１２、構成情報取得部１１３、多重化部１１４、暗号化部１１５及び送信部１１６を含んで構成される。
【００１５】
番組データ取得部１１１は、放送番組を構成する映像を示す映像データと音声を示す音声データを取得する。番組データ取得部１１１は、所定の映像符号化方式で符号化された映像データを取得する。所定の映像符号化方式は、例えば、ＩＳＯ／ＩＥＣ  ２３００８  ＨＥＶＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｎｉｃａｌ  Ｃｏｍｍｉｓｓｉｏｎ  ２３００８  Ｐａｒｔ２  Ｈｉｇｈ  Ｅｆｆｉｃｉｅｎｃｙ  Ｖｉｄｅｏ  Ｃｏｄｉｎｇ、単に、ＨＥＶＣとも呼ばれる）で規格化された方式である。
【００１６】
また、番組データ取得部１１１は、所定の音声符号化方式で符号化された音声データを取得する。所定の音声符号化方式は、例えば、ＩＳＯ／ＩＥＣ  １４４９６  Ｐａｒｔ３（単に、ＭＰＥＧ−４オーディオとも呼ばれる）で規定された音声符号化方式である。番組データ取得部１１１は、取得した映像データと音声データから所定の形式の番組データを生成し、生成した番組データを多重化部１１４に出力する。所定の形式の番組データは、例えば、ＩＳＯ／ＩＥＣ  ２３００８  Ｐａｒｔ１  ＭＭＴ（ＭＰＥＧ  Ｍｅｄｉａ  Ｔｒａｎｓｐｏｒｔ、単にＭＭＴとも呼ばれる）で規定されたＭＰＵ（Ｍｅｄｉａ  Ｐｒｏｃｅｓｓｉｎｇ  Ｕｎｉｔ）である。各ＭＰＵには、映像や音声の復号処理を行うことができる単位の映像データ又は音声データが含まれる。
【００１７】
文字データ取得部１１２は、字幕放送又は文字スーパーに係る文字データを取得する。文字データは、文字放送又は文字スーパーの内容を示す文字情報と、それらの表示態様を示す設定情報とを含んだ所定の形式（例えば、ＴＴＭＬで記述されたデータ形式）のデータである。設定情報は、その要素として表示位置、配列方向（縦、横）、等を示す構造情報や、文字の大きさ、色、背景の有無、背景色（背景を付加する場合）、表示速度、点滅（フラッシュ）の有無、等の修飾情報を含む。ＴＴＭＬは、これらの設定情報を所定の文字列（タグ）で囲んで記述する記述言語である。設定情報の各要素は、属性（ａｔｔｒｉｂｕｔｅ）とも呼ばれることがある。ＴＴＭＬでは、当該設定情報の適用対象の文字は、開始タグと終了タグとの間で囲むことにより指定される。ＴＴＭＬでは、必ずしも設定情報の全ての要素が含まれていなくてもよく、任意的である。ＴＴＭＬについては、例えば、次の出典に詳細に記載されている（“Ｔｉｍｅｄ  Ｔｅｘｔ  Ｍａｒｋｕｐ  Ｌａｎｇｕａｇｅ（ＴＴＭＬ）  １．０”，［ｏｎｌｉｎｅ］，Ｗ３Ｃ，［平成２６年１１月２５日検索］，インターネット＜ＵＲＬ：ｈｔｔｐｓ：／／ｗｗｗ．ｗ３．ｏｒｇ／ＴＲ／２０１０／ＲＥＣ−ｔｔａｆ１−ｄｆｘｐ−２０１０１１１８／＞）。
【００１８】
構成情報取得部１１３には、放送番組、字幕放送もしくは文字スーパー等の放送に伴って提供されるサービスを構成するための情報である構成要素情報を取得する。構成要素情報は、放送番組やサービスの構成要素であるアセット、つまり、映像、音声、文字情報等のリストや、それらの諸要件を示す情報、例えば、字幕放送か文字スーパーかを示す情報を含む。構成情報取得部１１３は、取得した構成要素情報から所定の形式情報を生成し、生成した構成情報を多重化部１１４に出力する。所定の形式の構成情報は、例えば、ＭＭＴ−ＳＩ（ＭＭＴ−Ｓｙｓｔｅｍ  Ｉｎｆｏｒｍａｔｉｏｎ）を構成するＭＰＴ（ＭＭＴ  Ｐａｃｋａｇｅ  Ｔａｂｌｅ）である。ＭＰＴの例については後述する。
【００１９】
多重化部１１４は、番組データ取得部１１１から入力された番組データ、文字データ取得部１１２から入力された文字データ及び構成情報取得部１１３から入力された構成情報を多重化して、所定の形式（例えば、ＴＬＶ（Ｔｙｐｅ  Ｌｅｎｇｔｈ  Ｖａｌｕｅ）パケット）の多重化データを生成する。多重化部１１４は、生成した多重化データを暗号化部１１５に出力する。
【００２０】
暗号化部１１５は、多重化部１１４から入力された多重化データを所定の暗号化方式（例えば、ＡＥＳ（Ａｄｖａｎｃｅｄ  Ｅｎｃｒｙｐｔｉｏｎ  Ｓｔａｎｄａｒｄ））を用いて暗号化する。暗号化部１１５は、暗号化した多重化データを送信部１１６に出力する。
送信部１１６は、暗号化部１１５から入力された多重化データを受信装置３１に放送伝送路１２を介して送信する。ここで、送信部１１６は、ベースバンド信号である多重化データで所定の搬送周波数を有する搬送波を変調させて、搬送周波数に対応したチャネル帯域の電波（放送波）をアンテナ（図示せず）により放射する。
【００２１】
（ＭＰＴのデータ構造）
次に、構成情報に含まれるＭＰＴの例について説明する。
図３は、ＭＰＴの例を示す図である。図３に示す例では、ＭＰＴ（ＭＭＴ  Ｐａｃｋａｇｅ  Ｔａｂｌｅ）は、アセット毎にアセットタイプ（ａｓｓｅｔ＿ｔｙｐｅ）とアセット記述子領域（ａｓｓｅｔ＿ｄｅｓｃｒｉｐｔｏｒｓ＿ｂｙｔｅ）とを含む。アセットタイプ（ａｓｓｅｔ＿ｔｙｐｅ）には、アセットの種類を示す符号が記述される。アセットタイプ（ａｓｓｅｔ＿ｔｙｐｅ）として、例えば、ＨＥＶＣで符号化された映像データを示すｈｃｖ１、ＭＰＥＧ−４オーディオで符号化された音声データを示すｍｐ４ａ、タイムドテキストを示すｓｔｐｐのいずれかが記述される。タイムドテキストとは、字幕放送や文字スーパーで提供される文字情報を意味する。
【００２２】
アセット記述子領域（ａｓｓｅｔ＿ｄｅｓｃｒｉｐｔｏｒｓ＿ｂｙｔｅ）は、アセット毎の記述子が記述される領域である。字幕放送や文字スーパーが提供される場合には、当該領域には、ＭＨ−データ符号化方式記述子（ＭＨ−Ｄａｔａ＿Ｃｏｍｐｏｎｅｎｔ＿Ｄｅｓｃｒｉｐｔｏｒ（））が記述される。ＭＨ−データ符号化方式記述子（ＭＨ−Ｄａｔａ＿Ｃｏｍｐｏｎｅｎｔ＿Ｄｅｓｃｒｉｐｔｏｒ（））は、文字データ等のデータを符号化するためのデータ符号化方式を識別するために使用される記述子である。
【００２３】
（ＭＨ−データ符号化方式記述子）
次に、ＭＨ−データ符号化方式記述子の例について説明する。
図４は、ＭＨ−データ符号化方式記述子の例を示す図である。図４に示す例では、ＭＨ−データ符号化方式記述子（ＭＨ−Ｄａｔａ＿Ｃｏｍｐｏｎｅｎｔ＿Ｄｅｓｃｒｉｐｔｏｒ（））は、データ符号化方式識別（ｄａｔａ＿ｃｏｍｐｏｎｅｎｔ＿ｉｄ）と付加識別情報（ａｄｄｉｔｉｏｎａｌ＿ｄａｔａ＿ｃｏｍｐｏｎｅｎｔ＿ｉｎｆｏ）を含んで構成される。字幕放送や文字スーパーが提供される場合には、データ符号化方式識別（ｄａｔａ＿ｃｏｍｐｏｎｅｎｔ＿ｉｄ）として、符号‘０ｘ００２０’が記述される。符号‘０ｘ００２０’は、デジタル放送における字幕符号化方式を示す。
【００２４】
付加識別情報（ａｄｄｉｔｉｏｎａｌ＿ｄａｔａ＿ｃｏｍｐｏｎｅｎｔ＿ｉｎｆｏ）には、図５に示すデータ構造を有する字幕・文字スーパー伝送方式の付加識別情報（Ａｄｄｉｔｉｏｎａｌ＿Ａｒｉｂ＿Ｓｕｂｔｉｔｌｅ＿Ｉｎｆｏ（））が記述される。
付加識別情報（Ａｄｄｉｔｉｏｎａｌ＿Ａｒｉｂ＿Ｓｕｂｔｉｔｌｅ＿Ｉｎｆｏ（））は、字幕識別タグ（ｓｕｂｔｉｔｌｅ＿ｔａｇ）、言語コード（ＩＳＯ＿６３９＿ｌａｎｇｕａｇｅ＿ｃｏｄｅ）、字幕タイプ（ｔｙｐｅ）、字幕記述方式識別（ｓｕｂｔｉｔｌｅ＿ｆｏｒｍａｔ）、及び開始ＭＰＵシーケンス番号（ｓｔａｒｔ＿ｍｐｕ＿ｓｅｑｕｅｎｃｅ＿ｎｕｍｂｅｒ）を含んで構成される。字幕識別タグ（ｓｕｂｔｉｔｌｅ＿ｔａｇ）は、字幕放送、文字スーパーのストリームを識別するためのラベルである。言語コード（ＩＳＯ＿６３９＿ｌａｎｇｕａｇｅ＿ｃｏｄｅ）は、字幕識別タグで識別される言語を示す。字幕タイプ（ｔｙｐｅ）は、サービス種別、即ち字幕放送と文字スーパーとの区別を示す。字幕放送が提供される場合には、字幕タイプ（ｔｙｐｅ）として符号‘００’が記述され、文字スーパーが提供される場合には、字幕タイプ（ｔｙｐｅ）として符号‘０１’が記述される。字幕記述方式識別（ｓｕｂｔｉｔｌｅ＿ｆｏｒｍａｔ）として、ＴＴＭＬ記述方式を示す符号‘００００’が記述される。開始ＭＰＵシーケンス番号（ｓｔａｒｔ＿ｍｐｕ＿ｓｅｑｕｅｎｃｅ＿ｎｕｍｂｅｒ）は、本記述子による設定が有効となる字幕、文字スーパーの最初のＭＰＵシーケンス番号を示す。
【００２５】
次に、文字データを格納するためのＭＰＵのデータ構成について説明する。字幕、文字スーパーの処理では、ＭＰＵが表示又は再生するための処理単位となる。ＭＰＵは、ある時間範囲において提示する文字データを含む。ＭＰＵには、さらに音声ファイル、画像ファイルのいずれか又は両者を含むことがある。１個のＭＰＵは、１個又は複数のＭＦＵ(Ｍｅｄｉａ  Ｆｒａｇｍｅｎｔ  Ｕｎｉｔ)とＭＰＵシーケンス番号とを含んで構成される。字幕、文字スーパーのＭＰＵを構成する最初のＭＦＵには必ず文字データがサブサンプルデータとして含まれる。画像データ、音声データは、それぞれ１つのＭＦＵにサブサンプルデータとして格納される。ＭＰＵシーケンス番号は、個々のＭＰＵを識別するための番号である。
【００２６】
（ＭＦＵのデータ構成）
次に、ＭＦＵの例について説明する。図６は、ＭＦＵの例を示す図である。ＭＦＵは、字幕識別タグ（ｓｕｂｔｉｔｌｅ＿ｔａｇ）、字幕シーケンス番号（ｓｕｂｔｉｔｌｅ＿ｓｅｑｕｅｎｃｅ＿ｎｕｍｂｅｒ）、サブサンプル番号（ｓｕｂｓａｍｐｌｅ＿ｎｕｍｂｅｒ）、最終サブサンプル番号（ｌａｓｔ＿ｓｕｂｓａｍｐｌｅ＿ｎｕｍｂｅｒ）、データタイプ（ｄａｔａ＿ｔｙｐｅ）及びデータバイト（ｄａｔａ＿ｂｙｔｅ）を含んで構成される。
字幕シーケンス番号（ｓｕｂｔｉｔｌｅ＿ｓｅｑｕｅｎｃｅ＿ｎｕｍｂｅｒ）は、当該アセットで送信される字幕データ全体におけるシーケンス番号であって、連続するＭＰＵ間でインクリメントされる番号である。サブサンプル番号（ｓｕｂｓａｍｐｌｅ＿ｎｕｍｂｅｒ）は、当該ＭＰＵにおけるデータのサブサンプル（ＭＦＵ）の昇順で表される番号である。各ＭＰＵにおける最初のサブサンプルの番号は０である。最終サブサンプル番号（ｌａｓｔ＿ｓｕｂｓａｍｐｌｅ＿ｎｕｍｂｅｒ）は、当該ＭＰＵで送信されるデータの最後のサブサンプル番号である。データタイプ（ｄａｔａ＿ｔｙｐｅ）は、当該ＭＦＵに格納されるデータのデータ種別である。例えば、ＴＴＭＬ記述方式で記述された文字データが格納される場合には、データタイプ（ｄａｔａ＿ｔｙｐｅ）として符号‘００００’が記述される。ＰＮＧ形式の画像データが格納される場合には、データタイプ（ｄａｔａ＿ｔｙｐｅ）として符号‘０００１’が記述される。ＰＣＭ（Ｐｕｌｓｅ  Ｃｏｄｅ  Ｍｏｄｕｌａｔｉｏｎ）形式の音声データが格納される場合には、データタイプ（ｄａｔａ＿ｔｙｐｅ）として符号‘００１１’が記述される。データバイト（ｄａｔａ＿ｂｙｔｅ）は、当該ＭＦＵに送信対象の文字データ、音声データ、画像データ、等が格納される領域である。
【００２７】
（受信装置の構成）
次に、受信装置３１の構成について説明する。図７は、本実施形態に係る受信装置３１の構成を示すブロック図である。受信装置３１は、受信部３１１（チューナー）、復号部３１２、分離部３１３、音声復号部３１４、ミキシング部３１５、再生部３１６、映像復号部３１７、表示合成部３１８、表示部３１９、記憶部３２２、操作入力部３２３、及び制御部３３１を含んで構成される。
【００２８】
受信部３１１は、送信装置１１が送信した放送波を、放送伝送路１２を介してアンテナ（図示せず）により受信する。受信部３１１は、放送波として受信したチャネル帯域の受信信号をベースバンド信号にダウンコンバートして多重化データに変換する。受信部３１１は、変換した多重化データを復号部３１２に出力する。
復号部３１２は、受信部３１１から入力された多重化データ（暗号化されている）を送信装置１１の暗号化部１１５で用いられた方式に対応する復号方式（例えば、ＡＥＳ）で復号し、復号した多重化データを生成する。復号部３１２は、生成した多重化データを分離部３１３に出力する。
【００２９】
分離部３１３は、復号部３１２から入力された多重化データを番組データ、文字データ及び構成情報に分離する。分離部３１３は、文字データと構成情報を制御部３３１に出力する。また、分離部３１３は、番組データから音声データと映像データを抽出する。分離部３１３は、抽出した音声データを音声復号部３１４に出力し、映像データを映像復号部３１７に出力する。
【００３０】
音声復号部３１４は、分離部３１３から入力された音声データを、符号化に用いられた符号化方式（例えば、ＭＰＥＧ−４  オーディオ）と対応する復号方式で復号し、元の音声データを生成する。復号した音声データは、各時刻における音声のレベルを示すデータである。音声復号部３１４は、復号した音声データをミキシング部３１５に出力する。
ミキシング部３１５は、音声復号部３１４から入力された音声データと、制御部３３１から入力された音声データとをミキシングし、ミキシングした音声データを再生部３１６に出力する。
再生部３１６は、ミキシング部３１５から入力された音声データが示す音声を再生する。再生部３１６は、例えば、スピーカを含んで構成される。
【００３１】
映像復号部３１７は、分離部３１３から入力された映像データを、符号化に用いられた符号化方式（例えば、ＨＥＶＣ）と対応する復号方式で入力された映像データを復号し、元の映像データを生成する。復号した映像データは、各時刻における映像（フレーム画像）を形成する信号値を示すデータである。映像復号部３１７は、復号した映像データを表示合成部３１８に出力する。
【００３２】
表示合成部３１８は、映像復号部３１７から入力された映像データに、制御部３３１から入力された文字情報が示す文字を、制御部３３１において選択された設定情報が示す表示態様で重畳し、文字が重畳した映像データを合成する。表示合成部３１８は、合成した映像データを表示部３１９に出力する。表示部３１９には、当該文字情報が示す文字を当該設定情報が示す表示態様で表示される。
表示部３１９は、表示合成部３１８から入力された映像データに基づく映像を表示する。表示部３１９は、ディスプレイ、例えば、液晶ディスプレイ、有機ＥＬ（Ｅｌｅｃｔｒｏｌｕｍｉｎｅｓｃｅｎｃｅ）ディスプレイ、等を含んで構成される。
【００３３】
記憶部３２２は、各種のデータを記憶する。記憶部３２２は、記憶媒体、例えば、ＨＤＤ（Ｈａｒｄ−ｄｉｓｋ  Ｄｒｉｖｅ）、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）又はそれらの組み合わせを含んで構成される。
操作入力部３２３は、ユーザーによる操作入力を受け付けて生成される操作信号を取得し、取得した操作信号を制御部３３１に出力する。操作信号は、例えば、電源のオン／オフを示す信号、文字情報の表示態様の各要素を指定する信号、放送波の周波数帯域に対応したチャネルを示す信号、がある。操作入力部３２３は、例えば、操作ボタン、リモートコントローラから操作信号を受信する入力インタフェース、等である。
【００３４】
制御部３３１は、受信装置３１の種々の動作を制御する。例えば、制御部３３１は、分離部３１３から入力された文字データを検出し、検出した文字データのサービス種別を判別する。また、制御部３３１は、判別したサービス種別に対応した設定情報が示す表示態様で検出した文字データが示す文字を表示部３１９に表示させる。また、制御部３３１は、操作入力部３２３から入力された操作信号に基づいてサービス種別毎に文字の表示態様に係る設定情報を生成する。制御部３３１は、一のサービス種別の設定情報における所定の一部の要素を他のサービス種別の設定情報における所定の一部の要素と同一に定める。また、制御部３３１は、同時に複数のサービス種別に係る文字を表示部３１９に表示させるとき、相互に重複しないように当該文字の表示位置を定める。
【００３５】
（制御部の構成）
次に、本実施形態に係る制御部３３１の構成について説明する。図８は、本実施形態に係る制御部３３１の構成を示すブロック図である。制御部３３１は、文字データ検出部３３２、サービス判別部３３３、設定情報検出部３３４、表示設定部３３５、及び表示制御部３３６を含んで構成される。
【００３６】
文字データ検出部３３２は、分離部３１３から入力される文字データを検出する。具体的には、文字データ検出部３３２は、分離部３１３から入力された構成情報からＭＰＴを検出し、検出したＭＰＴのアセットタイプ（ａｓｓｅｔ＿ｔｙｐｅ）にタイムドテキストを示すｓｔｐｐが記述されているストリームを特定する。文字データ検出部３３２は、特定したストリームのアセット記述子領域（ａｓｓｅｔ＿ｄｅｓｃｒｉｐｔｏｒｓ＿ｂｙｔｅ）から、ＭＨ−データ符号化方式記述子（ＭＨ−Ｄａｔａ＿Ｃｏｍｐｏｎｅｎｔ＿Ｄｅｓｃｒｉｐｔｏｒ（））を読み取る。
【００３７】
文字データ検出部３３２は、読み取ったＭＨ−データ符号化方式記述子（ＭＨ−Ｄａｔａ＿Ｃｏｍｐｏｎｅｎｔ＿Ｄｅｓｃｒｉｐｔｏｒ（））のデータ符号化方式識別（ｄａｔａ＿ｃｏｍｐｏｎｅｎｔ＿ｉｄ）に記述されている符号が示す符号化方式（例えば、デジタル放送における字幕符号化方式）を特定する。文字データ検出部３３２は、ＭＨ−データ符号化方式記述子（ＭＨ−Ｄａｔａ＿Ｃｏｍｐｏｎｅｎｔ＿Ｄｅｓｃｒｉｐｔｏｒ（））の付加識別情報（ａｄｄｉｔｉｏｎａｌ＿ｄａｔａ＿ｃｏｍｐｏｎｅｎｔ＿ｉｎｆｏ）から字幕識別タグ（ｓｕｂｔｉｔｌｅ＿ｔａｇ）及び開始ＭＰＵシーケンス番号（ｓｔａｒｔ＿ｍｐｕ＿ｓｅｑｕｅｎｃｅ＿ｎｕｍｂｅｒ）を読み取る。
【００３８】
文字データ検出部３３２は、読み取った字幕識別タグ（ｓｕｂｔｉｔｌｅ＿ｔａｇ）を含むＭＰＵのうちシーケンス番号が、開始ＭＰＵシーケンス番号（ｓｔａｒｔ＿ｍｐｕ＿ｓｅｑｕｅｎｃｅ＿ｎｕｍｂｅｒ）以降のＭＰＵを入力する。そして、文字データ検出部３３２は、入力したＭＰＵのそれぞれについて、データタイプ（ｄａｔａ＿ｔｙｐｅ）に符号‘００００’が記述されているＭＦＵを特定する。文字データ検出部３３２は、特定した各ＭＦＵのデータバイト（ｄａｔａ＿ｂｙｔｅ）からＴＴＭＬ記述方式で記述された文字データを読み取る。文字データ検出部３３２は、文字データを設定情報検出部３３４に出力する。また、文字データ検出部３３２は、読み取った付加識別情報（ａｄｄｉｔｉｏｎａｌ＿ｄａｔａ＿ｃｏｍｐｏｎｅｎｔ＿ｉｎｆｏ）をサービス判別部３３３に出力する。
【００３９】
サービス判別部３３３は、文字データ検出部３３２から入力された付加識別情報（ａｄｄｉｔｉｏｎａｌ＿ｄａｔａ＿ｃｏｍｐｏｎｅｎｔ＿ｉｎｆｏ）に含まれている字幕タイプ（ｔｙｐｅ）に記述された符号を読み取り、読み取った符号が示すサービス種別を判別する。読み取った符号が‘００’である場合、サービス判別部３３３は、サービス種別を字幕放送と判別する。サービス判別部３３３は、サービス種別を示す符号を表示設定部３３５に出力する。
【００４０】
設定情報検出部３３４は、文字データ検出部３３２から入力された文字データから、所定の文字列（開始タグ、終了タグ）で囲まれた領域に記述された設定情報を検出し、当該所定の文字列の配置に基づいて設定情報毎の適用対象の文字情報を特定する。設定情報検出部３３４は、検出した設定情報と特定した文字情報を表示設定部３３５及び表示制御部３３６に出力する。なお、以下の説明では、文字データから検出された設定情報を受信設定情報と呼ぶことがある。
【００４１】
表示設定部３３５は、字幕放送、文字スーパーそれぞれについて、設定画面を表示部３１９に表示させる。ここで、表示設定部３３５は、予め記憶部３２２に記憶された設定画面データを読み取り、読み取った設定画面データを表示合成部３１８に出力する。設定画面データは、字幕放送、文字スーパーそれぞれの設定画面を表すデータである。設定画面には、表示態様の要素毎に複数の選択肢が含まれ、当該要素毎に各１つの選択肢が操作信号により指示可能である。表示設定部３３５は、操作入力部３２３から入力された操作信号に基づいて文字の表示態様の要素毎の情報を生成し、生成した要素毎の情報を含む設定情報を字幕放送、文字スーパーそれぞれについて生成する。表示設定部３３５は、生成した設定情報を記憶部３２２に記憶する。設定画面ならびに設定情報の生成については、後述する。
表示設定部３３５は、サービス判別部３３３から入力された符号が示すサービス種別に係るユーザー設定情報を読み取り、読み取ったユーザー設定情報を表示制御部３３６に出力する。
【００４２】
設定画面には、字幕放送、文字スーパーそれぞれの設定情報の所定の要素を字幕放送、文字スーパー間で同一に定めることを促す項目が表示されてもよい。表示設定部３３５は、当該項目が押下されたと判定するとき、当該所定の要素を字幕放送、文字スーパー間で同一に定める。「押下」とは、操作入力部３２３から入力される操作信号が示す位置が、表示領域に含まれることを意味する。所定の要素は、字幕放送と文字スーパーが互いに独立に定めることができる項目であればよい。所定の要素は、例えば、文字サイズ、配列方向、色、背景の有無、背景色（背景を付加する場合）、表示速度、点滅の有無、等がある。以下の説明では、操作信号に基づいて生成された設定情報をユーザー設定情報と呼ぶことがある。
【００４３】
また、字幕放送、文字スーパーの両者について同一の時間帯に文字情報が入力されるとき、表示設定部３３５は、それぞれに設定された表示位置、文字数及び文字サイズに基づいて表示領域を求め、求めた表示領域が互いに重複しない位置に字幕放送に係る文字情報、文字スーパーに係る文字情報のいずれか又は両方の表示位置を変更する。表示設定部３３５は、表示位置の変更対象となる文字情報、表示位置の変更量には、複数の候補がありうるが、それらの候補から表示位置の総変更量が最も小さい文字情報と変更量のセットを選択してもよい。また、表示設定部３３５は、いずれか一方（例えば、文字スーパー）の表示位置を、他方よりも上方に定めてもよい。表示設定部３３５は、変更した表示位置を示す情報を要素として含むようにユーザー設定情報を更新し、更新したユーザー設定情報を表示制御部３３６に出力する。
【００４４】
表示制御部３３６には、受信設定情報と文字情報が設定情報検出部３３４から、ユーザー設定情報が表示設定部３３５から入力される。表示制御部３３６は、表示設定部３３５から入力されたユーザー設定情報が示す表示態様で文字情報が示す文字を示す文字表示用の画像データを生成する。表示制御部３３６は、当該画像データを表示合成部３１８に出力させることにより、当該画像データが示す文字を表示部３１９に表示させる。
ここで、表示制御部３３６は、設定情報検出部３３４から入力された受信設定情報に表示設定部３３５から入力されたユーザー設定情報を反映して表示設定情報を生成する。受信設定情報とユーザー設定情報とで共通に含まれる要素について、ユーザー設定情報が優先される。つまり、受信設定情報の当該要素がユーザー設定情報の当該要素に置き換えられる。表示制御部３３６は、生成した表示設定情報と、当該表示設定情報の適用対象の文字情報を表示合成部３１８に出力する。表示制御部３３６は、同一時間帯に字幕放送、文字スーパーそれぞれに係る表示設定情報と文字情報を出力することがある。なお、分離部３１３から入力される文字データに音声データが含まれる場合には、表示制御部３３６は、当該音声データをミキシング部３１５に出力する。また、分離部３１３から入力される文字データに画像データが含まれる場合には、当該画像データを表示合成部３１８に出力する。音声データもしくは画像データが含まれるか否かは、サービス判別部３３３においてＭＦＵに記述されてデータタイプ（ｄａｔａ＿ｔｙｐｅ）に基づいて判定される。
【００４５】
次に、表示設定部３３５の処理例について説明する。記憶部３２２には、文字スーパー設定画面を示す文字スーパー設定画面データと、字幕設定画面を示す字幕設定画面データを予め記憶しておく。表示設定部３３５は、表示態様の設定を指示する操作信号が操作入力部３２３から入力されるとき、記憶部３２２に記憶されている設定画面データのいずれか、例えば、文字スーパー設定画面データを読み取る。表示設定部３３５は、読み取った文字スーパー設定画面データを表示合成部３１８に出力することにより、表示部３１９に文字スーパー設定画面を表示させる。
【００４６】
図９は、文字スーパーの設定を説明するための図である。図９（ａ）は、文字スーパー設定画面の例（文字スーパー設定画面４２）を示す。文字スーパー設定画面４２には、表示態様の要素として「表示位置」、「表示文字サイズ」と、設定情報を字幕放送との間で同一に定めることを促す項目「字幕と同じ設定」と、２つのボタンを含む。「表示位置」の選択肢には、「上」、「下」、「右」、「左」があり、「表示文字サイズ」の選択肢には、「大」、「中」、「小」がある。図９（ａ）の例では、「右」の文字を太くし、下線が付されることにより他の選択肢「上」、「下」、「左」よりも高い視認性をもって表示されている。この表示により、「表示位置」として「右」が指示されていることが表される。また、「表示文字サイズ」の選択肢として「小」が他の選択肢「大」、「中」よりも高い視認性をもって表示されている。この表示により、「表示文字サイズ」として「小」が指示されていることが表される。「字幕と同じ設定」として「ＯＦＦ」が「ＯＮ」よりも高い視認性をもって表示されている。この表示により、字幕放送との間で表示態様の所定の要素を同一とすることが指示されていることが表される。
【００４７】
なお、「字幕の設定」の文字が表示された「字幕設定」ボタンは、押下により字幕設定画面の表示を表示設定部３３５に指示するためのボタンである。「終了」の文字が表示された「終了」ボタンは、押下により設定情報の生成終了を表示設定部３３５に指示するためのボタンである。「字幕設定」ボタン又は「終了」ボタンが押下されるとき、表示設定部３３５は、操作信号により指示された要素毎の選択肢を確定し、確定した選択肢が示す文字スーパーに係る設定情報を生成する。表示設定部３３５は、生成した設定情報を記憶部３２２に記憶する。
【００４８】
図９（ｂ）は、図９（ａ）に示す設定が行われる前に表示された文字スーパーの例（文字スーパー５２Ａ）を示す。この例では、「表示位置」は、「下」であり、「表示文字サイズ」は、「中」である。
図９（ｃ）は、図９（ａ）に示す設定が終了した後に表示された文字スーパーの例（文字スーパー５２Ｂ）を示す。この例では、「表示位置」は、「右」であり、「表示文字サイズ」は、「小」である。
【００４９】
図１０は、字幕放送の設定を説明するための図である。図１０（ａ）は、字幕設定画面の例（字幕設定画面４３）を示す。字幕設定画面４３には、その表示を行うか否かを指定するための項目「表示」と、表示態様の要素として「表示位置」、「表示文字サイズ」と、設定情報を文字スーパーとの間で同一に定めることを促す項目「文字スーパーと同じ設定」と、２つのボタンを含む。本画面における「表示位置」、「表示文字サイズ」の選択肢は、文字スーパー設定画面４２の選択肢と同様である。図１０（ａ）の例では、「表示」として「ＯＮ」が、「表示位置」として「右」が、「表示文字サイズ」として「小」が指示されている。また、「文字スーパーと同じ設定」として「ＯＮ」が指示されている。これにより、表示設定部３３５は、文字スーパーに係る所定の要素（例えば、「表示位置」、「表示文字サイズ」）を字幕放送に係る当該要素と同一に定める。そのため、ユーザーは文字スーパーについて設定情報を生成するための操作を回避することができる。
【００５０】
なお、「文字スーパーの設定」の文字が表示された「文字スーパー設定」ボタンは、押下により文字スーパー設定画面の表示を表示設定部３３５に指示するためのボタンである。「文字スーパー設定」ボタン又は「終了」ボタンが押下されるとき、表示設定部３３５は、操作信号により指示された要素毎の選択肢を確定し、確定した選択肢が示す字幕放送に係る設定情報を生成する。表示設定部３３５は、生成した設定情報を記憶部３２２に記憶する。
【００５１】
図１０（ｂ）は、図１０（ａ）に示す設定が行われる前に表示された文字放送の例（字幕放送５３Ａ）を示す。この例では、「表示位置」は、「上」であり、「表示文字サイズ」は、「中」である。
図１０（ｃ）は、図１０（ａ）に示す設定が終了した後に表示された文字スーパーの例（字幕放送５３Ｂ）を示す。この例では、「表示位置」は、「右」であり、「表示文字サイズ」は、「小」である。
【００５２】
図９（ｃ）の文字スーパー５２Ｂと図１０（ｃ）の字幕放送５３Ｂとの間では、それぞれの表示領域が互いに重複する場合がある。字幕放送、文字スーパーそれぞれに係る文字情報が入力される場合には、表示設定部３３５は、それぞれの表示領域の一部又は全部が互いに重複するか否かを判定する。重複すると判定するとき、表示設定部３３５は、表示領域が互いに重複しない位置に字幕放送に係る文字情報、文字スーパーに係る文字情報のいずれか又は両方の表示位置を変更する。つまり、操作信号に応じて生成されたユーザー設定情報のうち、表示位置に関する情報が変更される。
【００５３】
図１１は、本実施形態による字幕放送と文字スーパーの表示例を示す図である。図１１に示す例では、文字スーパー５２Ｄが表示部３１９の表示領域の上方に表示されるのに対し、字幕放送５３Ｂは、表示領域の右方に表示される。図１１に示すように、文字スーパー５２Ｄと字幕放送５３Ｂの表示領域が互いに異なるため、視聴者は両者を識別することができる。また、文字スーパー５２Ｄの表示位置が字幕放送５３Ｂの表示位置よりも全体として上方であるため、文字スーパー５２Ｄの方が字幕放送５３Ｂよりも視聴者による検知性が高くなる。
【００５４】
（表示設定処理）
次に、本実施形態に係る表示設定処理について説明する。図１２は、本実施形態に係る表示設定処理を示すフローチャートである。
（ステップＳ１０１）表示設定部３３５は、表示部３１９に文字スーパー設定画面を表示させる。操作入力部３２３から入力された操作信号に基づいて文字スーパーに係るユーザー設定情報を生成する。その後、ステップＳ１０２に進む。
（ステップＳ１０２）表示設定部３３５は、文字スーパー設定画面の「字幕設定」ボタン又は「終了」ボタンの押下を検知したか否かを判定する。検知した場合には（ステップＳ１０２  ＹＥＳ）、ステップＳ１０３に進む。検知していない場合には（ステップＳ１０２  ＮＯ）、ステップＳ１０２の処理を繰り返す。
（ステップＳ１０３）表示設定部３３５は、文字スーパーに係るユーザー設定情報を記憶部３２２に保存し、表示制御部３３６に出力する。その後、ステップＳ１０４に進む。
【００５５】
（ステップＳ１０４）表示設定部３３５は、文字スーパー設定画面の「字幕と同じ設定」の項目において「ＯＮ」が指示された否かを判定する。「ＯＮ」が指示されたと判定した場合には（ステップＳ１０４  ＹＥＳ）、ステップＳ１０５に進む。「ＯＦＦ」が指示されたと判定した場合には（ステップＳ１０４  ＮＯ）、ステップＳ１０６に進む。
（ステップＳ１０５）表示設定部３３５は、字幕放送に係る設定情報の所定の要素を文字スーパーに係るユーザー設定情報の該当する要素と同一に定める。その後、ステップＳ１０６に進む。
（ステップＳ１０６）表示設定部３３５は、ステップＳ１０２において押下されたボタンが「終了」ボタンである場合には（ステップＳ１０６  ＹＥＳ）、図１２に示す処理を終了する。表示設定部３３５は、ステップＳ１０２において押下されたボタンが「字幕設定」ボタンである場合には（ステップＳ１０６  ＮＯ）、ステップＳ１０７に進む。
【００５６】
（ステップＳ１０７）表示設定部３３５は、表示部３１９に字幕設定画面を表示させる。操作入力部３２３から入力された操作信号に基づいて字幕放送に係るユーザー設定情報を生成する。その後、ステップＳ１０８に進む。
（ステップＳ１０８）表示設定部３３５は、字幕設定画面の「文字スーパー設定」ボタン又は「終了」ボタンの押下を検知したか否かを判定する。検知した場合には（ステップＳ１０８  ＹＥＳ）、ステップＳ１０９に進む。検知していない場合には（ステップＳ１０８  ＮＯ）、ステップＳ１０８の処理を繰り返す。
（ステップＳ１０９）表示設定部３３５は、字幕放送に係るユーザー設定情報を記憶部３２２に保存し、表示制御部３３６に出力する。その後、ステップＳ１１０に進む。
【００５７】
（ステップＳ１１０）表示設定部３３５は、字幕設定画面の「文字スーパーと同じ設定」の項目において「ＯＮ」が指示された否かを判定する。「ＯＮ」が指示されたと判定した場合には（ステップＳ１１０  ＹＥＳ）、ステップＳ１１１に進む。「ＯＦＦ」が指示されたと判定した場合には（ステップＳ１１０  ＮＯ）、ステップＳ１１２に進む。
（ステップＳ１１１）表示設定部３３５は、文字スーパーに係るユーザー設定情報の所定の要素を字幕に係る設定情報の該当する要素と同一に定める。その後、ステップＳ１１２に進む。
（ステップＳ１１２）表示設定部３３５は、ステップＳ１０８において押下されたボタンが「終了」ボタンである場合には（ステップＳ１１２  ＹＥＳ）、図１２に示す処理を終了する。表示設定部３３５は、ステップＳ１０８において押下されたボタンが「字幕設定」ボタンである場合には（ステップＳ１１２  ＮＯ）、ステップＳ１０１に進む。
【００５８】
（受信処理）
次に、本実施形態に係る受信処理について説明する。図１３は、本実施形態に係る受信処理を示すフローチャートである。
（ステップＳ２０１）文字データ検出部３３２は、受信した放送波をダウンコンバートして得られた多重化データから文字データを検出する。その後、ステップＳ２０２に進む。
（ステップＳ２０２）サービス判別部３３３は、検出された文字データを構成する付加識別情報に基づいて、当該文字データに係るサービス種別が字幕放送であるか、文字スーパーであるかを判別する。その後、ステップＳ２０３に進む。
【００５９】
（ステップＳ２０３）設定情報検出部３３４は、文字データ検出部３３２から入力された文字データから受信設定情報を検出し、設定情報毎の適用対象の文字情報を特定する。その後、ステップＳ２０４に進む。
（ステップＳ２０４）表示設定部３３５は、判別したサービス種別に係るユーザー設定情報を記憶部３２２から読み取ることにより取得する。その後、ステップＳ２０５に進む。
【００６０】
（ステップＳ２０５）表示設定部３３５は、字幕放送、文字スーパーの両者について同一の時間帯に文字情報を取得したか否かを判定する。取得したと判定する場合（ステップＳ２０５  ＹＥＳ）、ステップＳ２０６に進む。取得していないと判定する場合（ステップＳ２０５  ＮＯ）、ステップＳ２０７に進む。
（ステップＳ２０６）表示設定部３３５は、設定された表示位置に基づいて求められた表示領域がサービス種別間で重複する場合、それらが互いに重複しない位置に字幕放送に係る文字情報、文字スーパーに係る文字情報のいずれか又は両方の表示位置を定める。その後、ステップＳ２０７に進む。
【００６１】
（ステップＳ２０７）表示制御部３３６は、取得された受信設定情報に取得されたユーザー設定情報を反映して表示設定情報を生成する。その後、ステップＳ２０８に進む。
（ステップＳ２０８）表示制御部３３６は、生成した表示設定情報と、適用対象の文字情報を表示合成部３１８に出力することにより、当該表示設定情報で指定される表示態様で当該文字情報が示す文字を表示部３１９に表示させる。その後、図１３に示す処理を終了する。
【００６２】
以上に説明したように、本実施形態に係る受信装置３１は、放送波で受信した受信データから文字データを検出する文字データ検出部３３２と、検出された文字データのサービス種別を判別するサービス判別部３３３を備える。また、受信装置３１は、あるサービス種別（例えば、文字スーパー）の設定情報における所定の要素を他のサービス種別（例えば、字幕放送）の設定情報における当該要素と同一に定める表示設定部３３５を備える。また、受信装置３１は、サービス判別部３３３が判別したサービス種別の設定情報が示す表示態様で検出された文字データが示す文字を表示させる表示制御部３３６を備える。
この構成により、ユーザーの操作入力に応じて一のサービス種別の設定情報を生成することで、他のサービス種別の設定情報の所定の要素が生成され、当該設定情報が示す表示態様で文字が表示される。そのため、ユーザーに対して文字多重放送のサービス種別毎に文字を表示させる際の表示態様を設定するための操作入力を軽減することができる。
【００６３】
また、受信装置３１において、表示設定部３３５は、同時に複数のサービス種別の文字データが示す文字を表示させるとき、相互に表示領域が重複しないように、これらの文字の位置を定める。
この構成により、文字が複数のサービス種別間で互いに異なる表示領域に表示されるので、ユーザーは個々のサービス種別のサービスを享受することができる。
【００６４】
（第２の実施形態）
次に、本発明の第２の実施形態について説明する。上述した説明と同一の構成については、同一の符号を付して説明を援用する。
受信装置３１は、同時間帯において、あるサービス種別について複数の言語で表記された文字情報を含む文字データを受信する場合がある。その場合には、本実施形態に係る受信装置３１の表示設定部３３５は、上述した手法を用いて各言語について設定された文字情報の表示領域が相互に重複しない表示位置を定める。表示設定部３３５は、定めた表示位置を示す情報を要素として含むようにユーザー設定情報を更新し、更新したユーザー設定情報を表示制御部３３６に出力する。各言語の文字情報は、それぞれ異なる位置に表示されるので、視聴者はそれらを識別することができる。また、言語毎の表示位置の操作入力による設定を回避することができる。表示設定部３３５は、文字情報を表記する言語を、受信設定情報に含まれる要素として含まれる言語属性を読み取って特定してもよいし、付加識別情報（ａｄｄｉｔｉｏｎａｌ＿ｄａｔａ＿ｃｏｍｐｏｎｅｎｔ＿ｉｎｆｏ）に含まれている言語コード（ＩＳＯ＿６３９＿ｌａｎｇｕａｇｅ）を読み取って特定してもよい。
【００６５】
（表示例）
次に、本実施形態による文字情報の表示例について説明する。
図１４は、本実施形態による文字情報の表示例を示す図である。図１４（ａ）に示す例では、文字スーパーに係る表示位置が「下」と設定されている場合において、表示部３１９に表示される文字スーパー５２Ｅを示す。文字スーパー５２Ｅは、日本語で表記された文字情報「明日の天気は晴れです」と、英語で表記された文字情報“Ｔｏｍｏｒｒｏｗ  ｗｉｌｌ  ｂｅ  ｆｉｎｅ．”とを含んで構成される。この例では、日本語で表記された文字情報と、英語で表記された文字情報とが互いに隣接する行に、重複せずに水平方向に配列されている。
【００６６】
なお、同一時間帯に文字スーパー、字幕放送それぞれについて複数の言語で表記された文字情報を表示させる場合がある。その場合には、表示設定部３３５は、サービス種別及び言語の組間で相互に表示領域が重複しない表示領域を定める。
図１４（ｂ）に示す例では、文字スーパー、字幕放送ともに表示位置が「下」と設定されている場合に表示される文字スーパー５２Ｆ、字幕放送５３Ｆを示す。文字スーパー５２Ｆ、字幕放送５３Ｆは、それぞれ、日本語で表記された文字情報と、英語で表記された文字情報とを含み、互いに隣接する行において上下に重なり合わずに配列されている。また、文字スーパー５２Ｆ、字幕放送５３Ｆは、それぞれ、表示部３１９の表示領域の上方、下方に表示されている。
【００６７】
（受信処理）
次に、本実施形態に係る受信処理について説明する。図１５は、本実施形態に係る受信処理を示すフローチャートである。図１５に示す処理は、ステップＳ２０１〜Ｓ２０４、Ｓ２０７、Ｓ２０８、Ｓ２１５、及びＳ２１６を有する。ステップＳ２０１〜Ｓ２０４、Ｓ２０７、Ｓ２０８については、上述した説明を援用する。図１５に示す処理では、ステップＳ２０４の処理が終了した後、ステップＳ２１５に進む。
【００６８】
（ステップＳ２１５）表示設定部３３５は同一の時間帯に複数の言語の文字情報を取得したか否かを判定する。取得したと判定する場合（ステップＳ２１５  ＹＥＳ）、ステップＳ２１６に進む。取得していないと判定する場合（ステップＳ２１５  ＮＯ）、ステップＳ２０７に進む。
（ステップＳ２１６）表示設定部３３５は、設定された表示位置に基づいて求められた表示領域が言語間で重複する場合、それらが互いに重複しない位置にいずれか又はそれぞれの言語文字情報のいずれか又は両方の表示位置を定める。その後、ステップＳ２０７に進む。
【００６９】
以上に説明したように、本実施形態に係る受信装置３１において、表示設定部３３５は、同時に複数の言語の文字データが示す文字を表示させるとき、相互に表示領域が重複しないように、これらの文字の位置を定める。
この構成により、文字が複数の言語間で互いに異なる表示領域に表示されるので、ユーザーは個々の言語で提供される文字放送サービスを享受することができる。
【００７０】
（第３の実施形態）
次に、本発明の第３の実施形態について説明する。上述した説明と同一の構成については、同一の符号を付して説明を援用する。
本実施形態に係る受信装置３１は、字幕放送、文字スーパーの両者について同一の時間帯に文字情報が入力されるとき、表示設定部３３５は、さらに、一方のサービス種別、例えば、文字スーパーに係る文字情報の検知性を高くするための設定情報の要素を定める。検知性を高くするために、表示設定部３３５は、例えば、他の文字情報より太い文字幅、大きい文字サイズ、他の文字情報にはない色、背景色、模様、点滅、等、視認性を高くするための要素のいずれか又は組み合わせを定めてもよい。また、表示設定部３３５は、当該文字情報の出力時に記憶部３２２から予め記憶された所定の音声データの読み取り及びミキシング部３１５への出力を指示する情報を定めてもよい。その場合には、当該文字情報の表示の際に当該音声データが示す音声が再生部３１６により再生される。表示設定部３３５は、定めた情報を要素として含むようにユーザー設定情報を更新し、更新したユーザー設定情報を表示制御部３３６に出力する。
【００７１】
（表示例）
次に、本実施形態による文字情報の表示例について説明する。
図１６は、本実施形態による文字情報の表示例を示す図である。図１６（ａ）に示す例では、文字スーパー５２Ｇ、字幕放送５３Ｂが、それぞれ表示部３１９の表示領域の上方、右方に表示される。本表示例では、文字スーパー５２Ｇの文字幅は、字幕放送５３Ｂの文字幅よりも太い。また、文字スーパー５２Ｇには背景色が付加されているのに対して、字幕放送５３Ｂには背景色は付加されていない。
図１６（ｂ）に示す例では、文字スーパー５２Ｇを形成する文字列の冒頭にさらに模様５４が付加される。これらの設定により、文字スーパー５２Ｇに対する検知性が字幕放送よりも高くなる。
【００７２】
（受信処理）
次に、本実施形態に係る受信処理について説明する。図１７は、本実施形態に係る受信処理を示すフローチャートである。図１７に示す処理は、ステップＳ２０１〜Ｓ２０８、及びＳ２２６を有する。ステップＳ２０１〜Ｓ２０８については、上述した説明を援用する。図１７に示す処理では、ステップＳ２０６の処理が終了した後、ステップＳ２２６に進む。
【００７３】
（ステップＳ２２６）表示設定部３３５は、一方のサービス種別、例えば、文字スーパーに係る文字情報の検知性を高くするための設定情報の要素を定める。表示設定部３３５は、定めた情報を要素として含むようにユーザー設定情報を更新する。その後、ステップＳ２０７に進む。
【００７４】
以上に説明したように、本実施形態に係る受信装置３１において、表示設定部３３５は、同時に複数のサービス種別の文字データが示す文字を表示させるとき、所定のサービス種別（例えば、文字スーパー）の文字データが示す文字の検知性を、他のサービス種別（例えば、字幕放送）の文字データが示す文字の検知性よりも高くする。
この構成により、ユーザーは所定のサービス種別の文字の表示に容易に気づくことができる。また、放送事業者や番組提供者は、他のサービス種別よりも所定のサービス種別で提供される情報にユーザーを着目させることができる。
【００７５】
（第４の実施形態）
次に、本発明の第４の実施形態について説明する。上述した説明と同一の構成については、同一の符号を付して説明を援用する。
本実施形態に係る受信装置３１の表示設定部３３５には、字幕放送、文字スーパーの両者について同一の時間帯に文字情報が入力される場合がある。その場合には、表示設定部３３５は、所定のサービス種別、例えば、文字スーパーに係る文字情報の表示領域を第１表示領域内に定め、その他のサービス種別、例えば、字幕放送に係る文字情報の表示領域を第２表示領域内に定める。第１表示領域、第２表示領域は、それぞれ表示部３１９の表示領域全体を細分化した領域（画面分割）である。
また、表示合成部３１８は、映像復号部３１７から入力された映像データが示す映像の表示領域を第２表示領域と定め、第２表示領域に当該映像に字幕放送に係る文字情報を重畳した映像を示す映像データを生成する。
【００７６】
（表示例）
次に、本実施形態による文字情報の表示例について説明する。図１８は、本実施形態による文字情報の表示例を示す図である。図１８に示す例では、第１表示領域Ｄｖ１、第２表示領域Ｄｖ２が、それぞれ表示部３１９の全表示領域の上方、下方に割り当てられている。文字スーパー５２Ｈの表示領域は、第１表示領域Ｄｖ１内に含まれ、字幕放送５３Ｈの表示領域は、第２表示領域Ｄｖ２内に含まれる。第１表示領域Ｄｖ１内には、文字スーパーに係る文字情報が表示され、番組の映像が重畳されないので、文字スーパーに係る文字情報の検知性が向上する。
【００７７】
（受信処理）
次に、本実施形態に係る受信処理について説明する。図１９は、本実施形態に係る受信処理を示すフローチャートである。図１９に示す処理は、ステップＳ２０１〜Ｓ２０５、Ｓ２０６、Ｓ２０７及びＳ２３６を有する。ステップＳ２０１〜Ｓ２０５、Ｓ２０７、Ｓ２０８については、上述した説明を援用する。図１９に示す処理では、ステップＳ２０５において、表示設定部３３５が、字幕放送、文字スーパーの両者について同一の時間帯に文字情報を取得したと判定する場合（ステップＳ２０５  ＹＥＳ）、ステップＳ２３６に進む。
【００７８】
（ステップＳ２３６）表示設定部３３５は、文字スーパーに係る文字情報の表示領域を映像が表示されない領域である第１表示領域内に定め、字幕放送に係る文字情報の表示領域を映像が表示される領域である第２表示領域内に定める。その後、ステップＳ２０７に進む。
【００７９】
以上に説明したように、本実施形態に係る受信装置３１は、放送波で受信したデータから番組を構成する映像データを分離する分離部３１３を備える。また、表示設定部３３５は、同時に複数のサービス種別の文字データが示す文字を表示させるとき、所定のサービス種別（例えば、文字スーパー）の文字データが示す文字の位置を第１の表示領域内に定め、他のサービス種別（例えば、字幕放送）の文字データが示す文字の位置を第２の表示領域内に定める。また、第２の表示領域は、番組の映像を表示する表示領域である。
この構成により、所定のサービス種別の文字データが映像とは異なる表示領域に表示されるので、ユーザーは所定のサービス種別で提供される情報を、番組の映像や他のサービス種別で提供される情報から容易に判別することができる。また、他のサービス種別の文字が番組の映像と重畳して表示されるので、ユーザーは当該番組との関連性を認識することができる。
【００８０】
（第５の実施形態）
次に、本発明の第５の実施形態について説明する。上述した説明と同一の構成については、同一の符号を付して説明を援用する。
本実施形態に係る送信装置１１の文字データ取得部１１２は、ユーザー設定不可フラグを含む文字データを取得してもよい。ユーザー設定不可フラグは、受信設定情報を用い、操作信号に基づいて生成されたユーザー設定情報を適用しないことを指示する指示情報である。
【００８１】
本実施形態に係る受信装置３１の表示制御部３３６は、文字データ検出部３３２で検出された文字データからユーザー設定不可フラグを検出したか否かを判定する。ユーザー設定不可フラグを検出した場合、表示制御部３３６は、設定情報検出部３３４から入力された受信設定情報に表示設定部３３５から入力されたユーザー設定情報を反映せずに、当該受信設定情報を表示設定情報として表示合成部３１８に出力する。従って、受信設定情報が示す表示態様で文字情報が表示部３１９に表示される。
【００８２】
（受信処理）
次に、本実施形態に係る受信処理について説明する。図２０は、本実施形態に係る受信処理を示すフローチャートである。図２０に示す処理は、ステップＳ２０１〜Ｓ２０８及びＳ２４４を有する。ステップＳ２０１〜Ｓ２０８については、上述した説明を援用する。図２０に示す処理では、ステップＳ２０３の処理が終了した後、ステップＳ２４４に進む。
【００８３】
（ステップＳ２４４）表示制御部３３６は、文字データ検出部３３２で検出された文字データからユーザー設定不可フラグを検出したか否かを判定する。ユーザー設定不可フラグを検出したと判定した場合（ステップＳ２４４  ＹＥＳ）、ステップＳ２０８に進む。ユーザー設定不可フラグを検出していないと判定した場合（ステップＳ２４４  ＮＯ）、ステップＳ２０４に進む。
【００８４】
以上に説明したように、本実施形態に係る受信装置３１は、検出された文字データが示す文字の表示態様を示す受信設定情報を検出する設定情報検出部３３４を備える。また、表示制御部３３６は、放送波で受信したデータから当該受信設定情報の使用を指示するユーザー設定不可フラグを検出したとき、検出された受信設定情報が示す表示態様で当該文字データが示す文字を表示させる。
この構成により、操作入力に応じて生成されたユーザー設定情報が無視され、文字データが示す文字の表示態様が、検出された受信設定情報で指定される。そのため、放送事業者や番組提供者は、自身が設定した表示態様で所定の文字データが示す文字を表示させることができる。
【００８５】
なお、本発明は上述した各実施形態に限定されるものではなく、特許請求の範囲に示した範囲で種々の変更が可能であり、異なる実施形態にそれぞれ開示された技術的構成を適宜組み合わせて得られる実施形態についても本発明の技術的範囲に含まれる。
また、本発明の各構成要素は、任意に取捨選択することができ、取捨選択した構成を具備する発明も本発明に含まれるものである。
【００８６】
例えば、図１３、図１５、図１７、図１９に示す処理は、それぞれステップＳ２０３の処理の後にステップＳ２４４の処理を有してもよい。
また、文字データ取得部１１２は、ユーザー設定不可フラグに代えて、ユーザー設定の採用を許可することを示す許可フラグを含む文字データを取得してもよい。受信装置３１の表示制御部３３６は、ステップＳ２４４において、文字データ検出部３３２で検出された文字データから許可フラグを検出した場合、設定情報検出部３３４から入力された受信設定情報に表示設定部３３５から入力されたユーザー設定情報を反映した表示設定情報をして表示合成部３１８に出力してもよい。
なお、受信装置３１において、再生部３１６、表示部３１９は、その他の構成部と別体に構成されてもよい。
上述した実施形態では、各種のデータを伝送するための伝送方式として、ＭＰＥＧ−Ｈで規定されたＭＭＴ（ＭＰＥＧ  Ｍｅｄｉａ  Ｔｒａｎｓｐｏｒｔ）によるメディアトランスポート方式が用いる場合を例にしたが、その他の伝送方式、例えば、ＭＰＥＧ−２  Ｓｙｓｔｅｍｓで規定された方式が用いられてもよい。また、伝送に係るデータ形式、暗号化方式、符号化方式も、その伝送方式で規定された形式または方式が用いられてもよい。
【００８７】
また、上述した実施形態における送信装置１１の一部、受信装置３１の一部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、認識データ伝送装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバーやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００８８】
なお、本発明は次の態様でも実施することができる。
（１）放送波で受信した受信データから文字データを検出する文字データ検出部と、前記文字データのサービス種別を判別するサービス判別部と、一のサービス種別の設定情報における少なくとも一部の要素を他のサービス種別の設定情報における前記要素と同一に定める表示設定部と、前記サービス判別部が判別したサービス種別の設定情報が示す表示態様で前記文字データが示す文字を表示させる表示制御部と、を備える受信装置。
【００８９】
（２）前記表示設定部は、同時に複数のサービス種別の文字データが示す文字を表示させるとき、相互に表示領域が重複しないように前記文字の位置を定める（１）の受信装置。
【００９０】
（３）前記表示設定部は、同時に複数のサービス種別の文字データが示す文字を表示させるとき、所定のサービス種別の文字データが示す文字の検知性を、他のサービス種別の文字データが示す文字の検知性よりも高くする（１）または（２）の受信装置。
【００９１】
（４）前記受信データから番組を構成する映像データを分離する分離部を備え、前記表示設定部は、同時に複数のサービス種別の文字データが示す文字を表示させるとき、所定のサービス種別の文字データが示す文字の位置を第１の表示領域内に定め、他のサービス種別の文字データが示す文字の位置を第２の表示領域内に定め、前記第２の表示領域は、番組の映像を表示する表示領域である（２）または（３）の受信装置。
【００９２】
（５）前記表示設定部は、同時に複数の言語の文字データが示す文字を表示させるとき、相互に表示領域が重複しないように前記文字の位置を定める（１）から（４）のいずれかの受信装置。
【００９３】
（６）前記文字データが示す文字の表示態様を示す受信設定情報を検出する設定情報検出部を備え、前記表示制御部は、前記受信データから前記受信設定情報の使用を指示する指示情報を検出したとき、前記受信設定情報が示す表示態様で前記文字データが示す文字を表示させる（１）から（５）のいずれかの受信装置。
【００９４】
（７）文字データを放送波で送信する送信装置と受信装置とを備える放送システムであって、前記受信装置は、放送波で受信した受信データから文字データを検出する文字データ検出部と、前記文字データのサービス種別を判別するサービス判別部と、一のサービス種別の設定情報における少なくとも一部の要素を他のサービス種別の設定情報における前記要素と同一に定める表示設定部と、前記サービス判別部が判別したサービス種別の設定情報が示す表示態様で前記文字データが示す文字を表示させる表示制御部と、を備える放送システム。
【００９５】
（８）受信装置の受信方法であって、放送波で受信した受信データから文字データを検出する文字データ検出過程と、前記文字データのサービス種別を判別するサービス判別過程と、一のサービス種別の設定情報における少なくとも一部の要素を他のサービス種別の設定情報における前記要素と同一に定める表示設定過程と、前記サービス判別過程で判別されたサービス種別の設定情報が示す表示態様で前記文字データが示す文字を表示させる表示制御過程と、を有する受信方法。
【００９６】
（９）受信装置のコンピュータに、放送波で受信した受信データから文字データを検出する文字データ検出手順、前記文字データのサービス種別を判別するサービス判別手順、一のサービス種別の設定情報における少なくとも一部の要素を他のサービス種別の設定情報における前記要素と同一に定める表示設定手順、前記サービス判別手順で判別されたサービス種別の設定情報が示す表示態様で前記文字データが示す文字を表示させる表示制御手順、を実行させるためのプログラム。
【符号の説明】
【００９７】
１…放送システム、１１…送信装置、１１１…番組データ生成部、１１２…文字データ取得部、１１３…構成情報取得部、１１４…多重化部、１１５…暗号化部、１１６…送信部、１２…放送伝送路、１３…放送衛星、３１…受信装置、３１１…受信部、３１２…復号部、３１３…分離部、３１４…音声復号部、３１５…ミキシング部、３１６…再生部、３１７…映像復号部、３１８…表示合成部、３１９…表示部、３２２…記憶部、３２３…操作入力部、３３１…制御部、３３２…文字データ検出部、３３３…サービス判別部、３３４…設定情報検出部、３３５…表示設定部、３３６…表示制御部
【図１】
2016116032.tif 000003
【図２】
2016116032.tif 000004
【図３】
2016116032.tif 000005
【図４】
2016116032.tif 000006
【図５】
2016116032.tif 000007
【図６】
2016116032.tif 000008
【図７】
2016116032.tif 000009
【図８】
2016116032.tif 000010
【図９】
2016116032.tif 000011
【図１０】
2016116032.tif 000012
【図１１】
2016116032.tif 000013
【図１２】
2016116032.tif 000014
【図１３】
2016116032.tif 000015
【図１４】
2016116032.tif 000016
【図１５】
2016116032.tif 000017
【図１６】
2016116032.tif 000018
【図１７】
2016116032.tif 000019
【図１８】
2016116032.tif 000020
【図１９】
2016116032.tif 000021
【図２０】
2016116032.tif 000022